(57)【要約】      （修正有）【課題】デザイン性に優れ、新規の音色からなる鈴を提供する。【解決手段】網目構造の共鳴体部１０で、下側が開口した開口部からなる逆さお椀形状の共鳴体部１０とし、お椀の開口部に沿って、帯状からなるリング形状のベルト部１１を形成し、項部１４からこのベルト部１１に向けて複数のフレーム部１２を交互に交差させながら、放射状に連結する。このような共鳴体部１０を採用したことにより、例えば打鈴部材にてベルト部１１の側部を叩くと、その振動がベルト部１１からフレーム部１２に伝わり、ベルト部１１がフレーム部１２の揺れを伴って振動するので、従来にない音色が得られる。また、振動の減衰が遅くなり、余韻が長くなる。【選択図】図１
2019176977.tif 000002
【特許請求の範囲】
【請求項１】
網目構造の共鳴体部を備えたことを特徴とする鈴。
【請求項２】
前記共鳴体部は網目部からなる側壁部と、帯状のベルト部からなる開口部とを有する略椀形状であることを特徴とする請求項１記載の鈴。
【請求項３】
前記網目部は複数のフレーム部を一体的に交差させて目開き部を形成したものであることを特徴とする請求項２記載の鈴。
【発明の詳細な説明】
【技術分野】
【０００１】
本発明は、仏りんやベル等として使用でき、デザイン性に優れた鈴に関する。
【背景技術】
【０００２】
本出願人は、葬祭用具として用いられる仏りんや、呼び鈴等として用いられるベルにおいて、小型化が可能であったり、新たな音色が出る鈴を提供している（特許文献１，２）。
特許文献１は、りん側部にスリット部を設けたものであり、特許文献２は、りん側部に貫通孔を設けたものである。
これらは、小型でこれまでにない音色が得られる点で優れている。
本発明は、さらに新しい音色や斬新なデザインを検討した結果、得られたものである。
【先行技術文献】
【特許文献】
【０００３】
【特許文献１】特開２０１１−２５３１７１号公報
【特許文献２】特開２０１１−１０１７８４号公報
【発明の概要】
【発明が解決しようとする課題】
【０００４】
本発明は、デザイン性に優れ、新規の音色からなる鈴の提供を目的とする。
【課題を解決するための手段】
【０００５】
本発明に係る鈴は、網目構造の共鳴体部を備えたことを特徴とする。
ここで、共鳴体部とは、打鈴部材等で叩くと、音が鳴るものをいう。
【０００６】
共鳴体部に網目構造を有する部分が備えられていれば、この共鳴体部の形状や構造に制限はない。
共鳴体部は、打鈴することで音が鳴るようになっていれば、その支持構造に制限はない。
例えば、支持台から立設した支持部材に支持される態様、上方から垂下した支持部材に吊り下げる態様、りん座布団等に載置する態様等が例として挙げられる。
【０００７】
本発明において、共鳴体部は網目部からなる側壁部と、帯状のベルト部からなる開口部とを有する略椀形状であってもよい。
ここで略椀形状とは、外形が球面形状のものや釣鐘形状のもの等、内側に空間部を有するものをいう。
本発明において、網目部の構造や形状に制限がない。
例えば、網目部が複数のフレーム部を交差させて複数の目開き部を形成したものであってよく、目開き部の形状は菱形，長方形，正方形，三角形，円形状等、各種形状になるように形成してあってよい。
この場合に、共鳴しやすい構造として、複数のフレーム部を一体的に交差させた目開き部としてもよい。
【発明の効果】
【０００８】
本発明に係る鈴は、網目構造を有する共鳴体部としたので、軽量でありながら余韻のある鈴となる。
また、網目形状を変えることで、いろいろなデザインを楽しむことができる。
網目を通して内部が見え、光沢のある金属材料で製作すると、神秘的な外観となる。
【図面の簡単な説明】
【０００９】
【図１】本発明に係る鈴の構造例を示し、（ａ）は正面図、（ｂ）は斜視図を示す。
【図２】鈴の断面図を示し、（ａ）は共鳴体部を支持部材に一体的に連結した例、（ｂ）は共鳴体部を支持部材にビス等にて連結した例を示す。
【図３】（ａ）はベルト部の幅を相対的に小さくした例を示し、（ｂ）は支持台の底面を緩やかな凸面形状にした例を示す。
【図４】横方向のフレームと縦方向のフレームとを格子状に連結した共鳴体部の例を示す。
【図５】上方が開口した椀形状の共鳴体部にした例を示す。
【発明を実施するための形態】
【００１０】
本発明に係る鈴の例を以下図に基づいて説明するが、仏りんや各種ベルに適用できる。
図１に外観図、図２に断面図を示す。
本実施例は、支持台２１から立設した支持部材２２の上端部２２ｂに共鳴体部１０を連結した例になっている。
図２（ａ）は、支持部材２２の上端部２２ｂに共鳴体部１０の項部１４の裏面部を一体的に連結した例であり、図２（ｂ）は支持部材２２の上端部２２ｂとビス部材２３の間に、共鳴体部１０の項部１４を挟み込むように連結した例である。
この連結部は、Ｏリング等の弾性部材を介したり、スプリング等の弾性部材に連結してもよい。
また、共鳴体部１０の項部１４の裏面部を支持部材２２の上端部２２ｂに、やじろべえのように載置してもよい。
支持部材２２の下端部２２ａは、支持台２１にねじ止めした例になっている。
共鳴体部の下端と支持台２１の上面との間には、所定の隙間ｄを有している。
支持台２１の底部２１ａは、図１（ａ）に示すように平坦部に形成してもよく、図３（ｂ）に示すように緩やかな凸面部２１ｂにすることで、左右に揺動するようにしてもよい。
【００１１】
本発明にて特徴的なのは、共鳴体部１０に網目構造を有する部分を設けた点にある。
図１に示した実施例は、下側が開口した開口部からなる逆さお椀形状の共鳴体部１０とした例である。
お椀の開口部に沿って、帯状からなるリング形状のベルト部１１を形成し、項部１４からこのベルト部１１に向けて複数のフレーム部１２を交互に交差させながら、放射状に連結した例になっている。
これにより、フレーム部１２が交互に交差してできた菱形形状の目開き部１３と、ベルト部１１及びフレーム部１２にて形成された三角形状の目開き部１３ａとを有する。
この目開き部の形状に制限はなく、例えば図４に示すように横フレーム１２ａと縦フレーム１２ｂとにて格子状に形成する等、いろいろな形状が採用される。
【００１２】
このような共鳴体部１０を採用したことにより、例えば打鈴部材にてベルト部１１の側部を叩くと、その振動がベルト部１１からフレーム部１２に伝わる。
ベルト部１１がフレーム部１２の揺れを伴って振動するので、従来にない音色が得られる。
また、振動の減衰が遅くなり、余韻が長くなる。
従って、図３に示すようにベルト部１１の幅Ｗの寸法を変えることで、共鳴音の調整が可能になる。
フレーム１２の交差部及びベルト部を一体的に形成することで振動の伝達が速く、共鳴性に優れる。
【００１３】
本発明に係る共鳴体部１０は、上記のように支持部材２２の上端部に載置するように支持してもよく、例えば各種支持部材の下端側に吊り下げるように支持してもよい。
また、図５に示すように上部が開口したお椀形状にし、底部１５をりん座布団等に載置してもよい。
【００１４】
本発明に係る鈴にあっては、共鳴体部１０に網目構造を有しているので、デザイン性に優れる。
共鳴体部の材質としては金属が好ましく、プラチナ，金，銀等の貴金属や、黄銅等の銅合金が例として挙げられる。
貴金属を用いると、デザイン性に優れたフレーム部１２の形状及び目開き部１３から内部が見えることにより、高級感がある。
よって、装飾置物としても利用できる。
【符号の説明】
【００１５】
１０      共鳴体部
１１      ベルト部
１２      フレーム部
１３      目開き部
１４      項部
２１      支持台
２１ａ    底部
２２      支持部材
【図１】
2019176977.tif 000003
【図２】
2019176977.tif 000004
【図３】
2019176977.tif 000005
【図４】
2019176977.tif 000006
【図５】
2019176977.tif 000007
【手続補正書】
【提出日】平成30年7月30日(2018.7.30)
【手続補正１】
【補正対象書類名】特許請求の範囲
【補正対象項目名】全文
【補正方法】変更
【補正の内容】
【特許請求の範囲】
【請求項１】
網目構造の共鳴体部を備え、
前記共鳴体部は網目部からなる側壁部と、帯状のベルト部からなる開口部とを有する略椀形状であり、
前記網目部は複数のフレーム部を一体的に交差させて目開き部を形成したものであることを特徴とする鈴。